(57)【要約】【課題】電気式床暖房パネルが異音（床鳴り音）を発生するのを防止する。【解決手段】木質材によって形成されたパネル基材１と、パネル基材１の裏面側に配設される電気ヒータ２と、電気ヒータ２に接続するコネクタ３，４と、パネル基材１の裏面側に形成されたコネクタ収容凹部５，６とを備えた電気式床暖房パネル１０Ａ〜１０Ｆにおいて、コネクタ収容凹部５，６の側壁にコネクタとの接触により異音が発生するのを防止するための緩衝層２０，２１または摩擦緩衝層としての樹脂層２３を形成する。コネクタ３，４の側面に緩衝層２０，２１または摩擦緩衝層としての樹脂層２３を形成するようにしてもよい。【選択図】図１
2007225175.tif 000002
【特許請求の範囲】
【請求項１】
木質材によって形成されたパネル基材と、パネル基材の裏面側に配設される電気ヒータと、パネル基材の裏面側に形成されたコネクタ収容凹部と、コネクタ収容凹部に収容されたコネクタと、を少なくとも備えた電気式床暖房パネルにおいて、
コネクタ収容凹部の側壁と該コネクタ収容凹部に収容されるコネクタの側面との間には、コネクタ収容凹部の側壁とコネクタの側面との接触により異音が発生するのを防止するための緩衝層または摩擦緩衝層が設けられていることを特徴とする電気式床暖房パネル。
【請求項２】
異音が発生するのを防止するための緩衝層または摩擦緩衝層はコネクタ収容凹部の側壁に形成されていることを特徴とする請求項１に記載の電気式床暖房パネル。
【請求項３】
異音が発生するのを防止するための緩衝層または摩擦緩衝層はコネクタの側面に形成されていることを特徴とする請求項１に記載の電気式床暖房パネル。
【請求項４】
異音が発生するのを防止するための緩衝層または摩擦緩衝層はコネクタ収容凹部の側壁とコネクタの側面の双方に形成されていることを特徴とする請求項１に記載の電気式床暖房パネル。
【請求項５】
コネクタ収容凹部の天面と該コネクタ収容凹部に収容されたコネクタの上面との間にも、コネクタ収容凹部の天面とコネクタの上面との接触により異音が発生するのを防止するための緩衝層または摩擦緩衝層が形成されていることを特徴とする請求項１〜４のいずれかに記載の電気式床暖房パネル。
【請求項６】
パネル基材の裏面には緩衝材が貼着されていることを特徴とする請求項１〜５のいずれかに記載の電気式床暖房パネル。
【発明の詳細な説明】
【技術分野】
【０００１】
この発明は、木質材によって形成されたパネル基材の裏面に電気ヒータが組み込まれた形態の電気式床暖房パネルに関する。
【背景技術】
【０００２】
図８，図９に示すように、木質材によって形成されたパネル基材１と、パネル基材１の裏面側に配設される電気ヒータ２と、電気ヒータ２に接続するコネクタ３，４と、パネル基材１の裏面側に形成されたコネクタ収容凹部５，６と、パネル基材１の裏面に貼着された緩衝材７とを備えた電気式床暖房パネル１０は知られている。このように、パネル基材１の裏面に緩衝材７を貼着した形態の電気式床暖房パネル１０は、直貼り用の電気式床暖房パネルとして主に用いられる。
【０００３】
パネル基材１の４周には、通常、本実加工が施され、また、パネル基材１の表面側には、図９に示すように、突き板等の表面化粧材９が貼着される。また、図示の例では、４本の床材ピース１ａを雁木状に組み付けたものとしてパネル基材１を示しているが、一枚の板材でパネル基材１を作ることもあり、また、雁木状でなく、全体として単に矩形状にパネル基材１を形成することもある。
【０００４】
この形態の電気式床暖房パネル１０は、歩行者が床暖房フロアを歩行するときに、緩衝材７が圧縮され、これに伴ってパネル基材１が僅かに沈み込む。それにより、パネル基材１に形成したコネクタ収容凹部５，６の天面とコネクタ３，４の上面が接触し、接触音（異音）が発生することがあり、床鳴りの原因となる。特許文献１にはその対策として、図９に示すように、コネクタ３，４の上面またはコネクタ収容凹部５，６の天面に、クッション性を有するシート部材１１を貼着することが記載されている。コネクタ３，４の裏面にもクッション性を有するシート部材１１を貼着することにより、床下地面にコネクタ３，４の裏面が当接することにより生じる異音（床鳴り音）の発生も防止している。
【０００５】
【特許文献１】特開２０００−３２０８４３号公報
【発明の開示】
【発明が解決しようとする課題】
【０００６】
図８，図９に示した形態の電気式床暖房パネル１０の多数枚をコネクタ同士を接続しながら床下地面に敷き詰めて構成される電気式床暖房フロアでは、フロア上を歩行することにより生じやすい、コネクタの上面とパネル基材との接触あるいはコネクタの下面と床下地との接触により異音が発生するのを、効果的に回避することができる。本発明者は、上記の形態の電気式床暖房パネル１０による電気式床暖房フロアの施工を多く行ってきているが、異音の発生を回避できるはずにもかかわらず、施工の状況によっては、フロアの上を歩行するときに、床鳴り音が生じる場合があることを経験した。
【０００７】
その原因を見いだすべく、多くの実験を行ったところ、施工の具合によっては、隣接する電気式床暖房パネル１０同士が、所定位置（すなわち、コネクタ収容凹部同士が正対する位置）から長手方向に僅かに位置ずれが生じる場合があり、そのときにコネクタ同士を接続した後、いずれかまたは双方のコネクタの側面がコネクタ収容凹部の側壁に接する状態となることを知った。その状態で歩行による上からの荷重がかかると、コネクタ側面とコネクタ収容凹部の側壁との間で不規則な接触が繰り返され、それが異音（床鳴り音）の原因であることを知った。
【０００８】
本発明は、施工の都合から、コネクタ側面とコネクタ収容凹部の側壁との間で不規則な接触が生じるようになった場合でも、それに起因する異音（床鳴り音）の発生を効果的に阻止できるようにして電気式床暖房パネルを提供することを目的とする。
【課題を解決するための手段】
【０００９】
本発明による電気式床暖房パネルは、木質材によって形成されたパネル基材と、パネル基材の裏面側に配設される電気ヒータと、パネル基材の裏面側に形成されたコネクタ収容凹部と、コネクタ収容凹部に収容されたコネクタと、を少なくとも備えた電気式床暖房パネルであって、コネクタ収容凹部の側壁と該コネクタ収容凹部に収容されるコネクタの側面との間には、コネクタ収容凹部の側壁とコネクタの側面との接触により異音が発生するのを防止するための緩衝層または摩擦緩衝層が設けられていることを特徴とする。
【００１０】
上記の電気式床暖房パネルでは、施工時に隣接する電気式床暖房パネル同士に長手方向に僅かな位置ずれが生じ、そのために２つの電気式床暖房パネルを電気的に接続するコネクタがコネクタ収容凹部内の本来あるべき場所から側方（パネルの長手方向）に位置ずれを起こすようになった場合でも、コネクタ収容凹部の側壁とそこに収容されるコネクタの側面との間には、異音が発生するのを防止するための緩衝層または摩擦緩衝層が設けられており、コネクタの側面が木質材であるパネル基材に形成されるコネクタ収容凹部の側壁に直接接触するのを回避できる。そのために、従来は起こる場合のあったコネクタ側面と木質材であるコネクタ収容凹部の側壁との接触に起因する異音（床鳴り音）の発生を、効果的に阻止することができる。
【００１１】
前記異音が発生するのを防止するための緩衝層または摩擦緩衝層は、コネクタ収容凹部の側壁側に一体に形成されていてもよく（請求項２）、コネクタの側面側に一体に形成されていてもよい（請求項３）。場合によっては、コネクタ収容凹部の側壁とコネクタの側面の双方に形成されていてもよい（請求項４）。
【００１２】
異音が発生するのを防止するための緩衝層または摩擦緩衝層を設ける方法は基本的に任意であり、緩衝層の場合には、適宜の緩衝材をコネクタ収容凹部の側壁またはコネクタの側面に貼り付けるようにしてもよく、施工現場でコネクタ同士の接続を行うときに、コネクタ収容凹部の側壁とコネクタの側面との間に緩衝材を挿入することによってもよい。緩衝層を形成する材料は、緩衝性がありかつ摩擦音の小さい材料であればよく、不織布、発泡樹脂、フェルト等が好ましくは用いられる。中でも不織布は好適である。
【００１３】
摩擦緩衝層を形成する場合には、好ましくは、コネクタ収容凹部の側壁に摩擦緩衝性を備えた樹脂を塗布するようにする。塗布された樹脂の一部は木質材であるパネル基材内に浸入し、コネクタ収容凹部の側壁に安定した摩擦緩衝層が形成される。コネクタの側面に摩擦緩衝性を備えた樹脂を塗布するようにしてもよい。摩擦緩衝性を備えた樹脂としては、シリコーンオイル、パラフィンワックス、その他、摩擦緩衝性を備えた公知の樹脂が挙げられる。それらは液状であってもよく、固形状であってもよい。但し、床暖房パネルに使用することから、耐熱温度が４０℃から５０℃以上の樹脂であることが望ましい。
【００１４】
本発明による電気式床暖房パネルにおいて、コネクタ収容凹部の側面およびコネクタの側面に加えて、コネクタ収容凹部の天面と該コネクタ収容凹部に収容されたコネクタの上面との間にも、コネクタ収容凹部の天面とコネクタの上面との接触により異音が発生するのを防止するための緩衝層または摩擦緩衝層を設けるようにしてもよい（請求項５）。それにより、コネクタ収容凹部の天面とコネクタの上面とが接触することにより異音（床鳴り音）が発生するのも阻止することができる。
【００１５】
上記の形態の場合、コネクタ収容凹部の天面またはコネクタの上面に設ける緩衝層または摩擦緩衝層は、コネクタ収容凹部の側壁またはコネクタの側面に形成する緩衝層または摩擦緩衝層と同じ材料によってもよく、異なる材料によってもよい。また、コネクタ収容凹部の天面と側壁に形成する緩衝層または摩擦緩衝層は、連続するものであってもよく、分離したものであってもよい。同様に、コネクタの上面と側面に形成する緩衝層または摩擦緩衝層も、連続するものであってもよく、分離したものであってもよい。さらに、いずれかの面に前記緩衝層を形成し、他のいずれかの面に前記摩擦緩衝層を形成するようにしてもよい。
【００１６】
本発明による電気式床暖房パネルにおいて、好ましくは、パネル基材の裏面には、不織布シートまたは発泡樹脂シート、またはこれらの積層シートのような緩衝材が貼着される（請求項６）。それにより、床下地に直貼りするのに好適な電気式床暖房パネルが得られる。しかし、床下地の状況によっては、そのような緩衝材を省略することもできる。
【発明の効果】
【００１７】
本発明による電気式床暖房パネルを用いることにより、電気式床暖房フロアを歩行するときに異音（床鳴り音）が生じるのを確実に阻止することができる。
【発明を実施するための最良の形態】
【００１８】
以下、図面を参照しながら本発明による電気式床暖房パネルを実施の形態に基づき説明する。図１〜図７は本発明による電気式床暖房パネルの７つの異なった態様１０Ａ〜１０Ｇを示している。本発明において、電気式床暖房パネルの基本構成は、図８，図９に示したように、木質材によって形成されたパネル基材１と、パネル基材１の裏面側に配設される電気ヒータ２と、電気ヒータ２に接続するコネクタ３、４と、パネル基材１の裏面側に形成されたコネクタ収容凹部５，６とを少なくとも備えた形状のものであってよく、図１〜図７では、そのコネクタ収容凹部５またはコネクタ収容凹部６の近傍のみを示している。各図において、図８，図９に示した電気式床暖房パネル１０と同じ部材には同じ符号を付し、詳細な説明は省略する。
【００１９】
図１に示す電気式床暖房パネル１０Ａは、雄実１１が形成されている側に、一方のコネクタ収容凹部６が形成されており、該コネクタ収容凹部６の領域において雄実１１は切除されている。そして、コネクタ収容凹部６内には、一方のコネクタ４が引き出しできるようにして収容されており、コネクタ収容凹部６の左右の側壁には不織布２０，２０が貼り付けられている。この不織布２０，２０は、本発明でいう「異音が発生するのを防止するための緩衝層」に相当するものであり、木質材であるコネクタ収容凹部６の側壁とコネクタの側面とが直接接触するのを防止する機能を果たす。
【００２０】
すなわち、床暖房の施工時に、前記コネクタ４と隣接する電気式床暖房パネル１０Ａの他方のコネクタ３とを接続することとなるが、施工上の都合で、コネクタ収容凹部６の側壁にコネクタ４あるいはコネクタ４の側面が接触する位置に、接続後のコネクタが位置するようになった場合でも、コネクタ収容凹部６の側壁には緩衝層として機能する不織布２０，２０が位置しているので、コネクタ収容凹部６の側壁にコネクタの側面が直接接触するのを回避することができ、結果として、木質材であるコネクタ収容凹部６の側壁とコネクタ４の側面とが直接接触することにより生じる異音（床鳴り音）が発生するのを防止することができる。
【００２１】
図２に示す電気式床暖房パネル１０Ｂは、コネクタ収容凹部６の天面にも不織布２１が貼り付けてある点で、図１に示した電気式床暖房パネル１０Ａと異なる。図示のものでは、天面の不織布２１は左右の側壁に貼り付けた不織布２０，２０と連続しているが、不連続であってもよい。このように天面にも不織布２１を貼り付けることにより、コネクタの上面が、コネクタ収容凹部６の天面に衝接して異音（床鳴り音）が発生するのも確実に防止することができる。
【００２２】
図３に示す電気式床暖房パネル１０Ｃは、雌実１２が形成されている側に形成された他方のコネクタ収容凹部５に関しており、該コネクタ収容凹部５内に他方のコネクタ３がほぼ固定的に収容されている。このコネクタ収容凹部５の左右の側壁にも不織布２２，２２が貼り付けられており、この不織布２２，２２がコネクタ収容凹部５の側壁とコネクタ３あるいはコネクタ４の側面とが直接接触するのを防止する緩衝層としての機能を果たす。
【００２３】
図４に示す電気式床暖房パネル１０Ｄは、雄実１１側の第１のコネクタ収容凹部６の天面および側壁に、前記雄実１１の切除した領域を覆うようにして雄実１１の先端近傍にまで延出する金属製の補強板３０が取り付けてある点で、図１に示した電気式床暖房パネル１０Ａと構成を異にする。この補強板３０は、雄実１１を一部切除したことによる強度低下を補強している。そして、この形態において、緩衝層として機能する不織布２０，２０は、補強板３０の側壁面に貼り付けられている。図示しないが、図２に示す形態のように、金属製の補強板３０の天面にも緩衝層として機能する不織布を貼り付けてもよい。
【００２４】
図５に示す電気式床暖房パネル１０Ｅは、緩衝層として機能する不織布に替えて、摩擦緩衝層として機能するシリコーンオイルまたはパラフィンワックスのような樹脂２３，２３を、コネクタ収容凹部６の左右の側壁に塗布している点で、図１に示した形態と相違している。この樹脂層２３，２３は、本発明でいう「異音が発生するのを防止するための摩擦緩衝層」に相当するものであり、木質材であるコネクタ収容凹部６の側壁とコネクタの側面とが直接接触して生じる異音（床鳴り音）が発生するのを防止する。なお、図示しないが、コネクタ収容凹部６の天面にも摩擦緩衝層として機能する樹脂層を形成してもよく、樹脂層に替えて、図２に示す形態のように不織布層を形成してもよい。
【００２５】
図６に示す電気式床暖房パネル１０Ｆは、雌実１２が形成されている側に形成された他方のコネクタ収容凹部５の左右の側壁に、摩擦緩衝層として機能するシリコーンオイルまたはパラフィンワックスのような樹脂２４，２４を塗布している。この形態でも、図示しないが、コネクタ収容凹部５の天面に摩擦緩衝層として機能する樹脂層を形成してもよく、樹脂層に替えて、図２に示す形態のように不織布層を形成してもよい。
【００２６】
図７に示す電気式床暖房パネル１０Ｇは、上記した電気式床暖房パネル１０Ａ〜１０Ｆと異なり、コネクタ収容凹部５，６の側壁にではなく、コネクタ３，４の側面に、本発明でいう「異音が発生するのを防止するための緩衝層または摩擦緩衝層」を形成する場合の一形態である。図７に示す電気式床暖房パネル１０Ｇでは、雌実１２が形成されている側に形成された他方のコネクタ収容凹部５に収容されているコネクタ３の左右の側面に不織布２０，２０が貼り付けられており、コネクタ収容凹部５の左右の側壁には不織布は貼り付けられていない。この形態でも、不織布２０，２０が存在することにより、コネクタ収容凹部５の側壁とコネクタ３の側面とが直接接触するのを阻止することができ、異音（床鳴り音）の発生は防止できる。
【００２７】
図示しないが、図７において、コネクタ３の上面にも不織布を貼り付けてもよく、さらに、コネクタ収容凹部５の左右の側壁および／または天面にも不織布を貼り付けるようにしてもよい。また、不織布の貼り付けに替えて、コネクタ３の左右の側面に摩擦緩衝層として機能するシリコーンオイルまたはパラフィンワックスのような樹脂を塗布することによっても、異音（床鳴り音）の発生を防止する効果は得られる。その際に、コネクタ収容凹部５の左右の側壁および／または天面にも同様な樹脂を塗布して摩擦緩衝層を形成することもできる。
【００２８】
図示しないが、同様のことを、図１に示すコネクタ４とコネクタ収容凹部６との間においても実施してよいことは当然である。
【００２９】
上記のように、上記したいずれかの構成を電気式床暖房パネルの一方または双方のコネクタ収容凹部に選択的に採用することにより、電気式床暖房フロア上を歩行者が上を歩くときに発生する恐れのある床鳴りを確実に阻止できるようになる。
【図面の簡単な説明】
【００３０】
【図１】本発明による電気式床暖房パネルの一形態におけるコネクタ収容凹部近傍を示す図あり、コネクタ収容凹部の側壁に異音が発生するのを防止するための緩衝層が形成される一例を示している。
【図２】本発明による電気式床暖房パネルの他の形態におけるコネクタ収容凹部近傍を示す図であり、コネクタ収容凹部の天面にも緩衝層が形成される形態の例を示している。
【図３】本発明による電気式床暖房パネルのさらに他の形態におけるコネクタ収容凹部近傍を示す図であり、他のコネクタ収容凹部の側壁に緩衝層が形成される例を示している。
【図４】本発明による電気式床暖房パネルのさらに他の形態におけるコネクタ収容凹部近傍を示す図１に相当する図であり、コネクタ収容凹部に補強板が取り付けてある。
【図５】本発明による電気式床暖房パネルのさらに他の形態におけるコネクタ収容凹部近傍を示す図であり、コネクタ収容凹部の側壁に異音が発生するのを防止するための摩擦緩衝層が形成される一例を示している。
【図６】本発明による電気式床暖房パネルのさらに他の形態におけるコネクタ収容凹部近傍を示す図であり、他のコネクタ収容凹部の側壁に摩擦緩衝層が形成される例を示している。
【図７】本発明による電気式床暖房パネルのさらに他の形態におけるコネクタ収容凹部近傍を示す図であり、コネクタ収容凹部の側壁にではなく、コネクタの側面に異音が発生するのを防止するための緩衝層または摩擦緩衝層が形成される形態の一例を示している。
【図８】従来の電気式床暖房パネルの一例を示す図。
【図９】従来の電気式床暖房パネルのコネクタ収容部の一例を示す図。
【符号の説明】
【００３１】
１０、１０Ａ〜１０Ｇ…電気式床暖房パネル、１…木質材によって形成されたパネル基材、２…電気ヒータ、３，４…コネクタ、４，６…コネクタ収容凹部、７…緩衝材、２０，２１、２２…緩衝層として機能する不織布、２３…摩擦緩衝層として機能する樹脂層、３０…補強板
【図１】
2007225175.tif 000003
【図２】
2007225175.tif 000004
【図３】
2007225175.tif 000005
【図４】
2007225175.tif 000006
【図５】
2007225175.tif 000007
【図６】
2007225175.tif 000008
【図７】
2007225175.tif 000009
【図８】
2007225175.tif 000010
【図９】
2007225175.tif 000011